(57)【要約】【課題】原稿サイズの誤検出を低減できる画像読取装置を提供する。【解決手段】読取制御部５１は、圧板の傾斜角度θが第１角度θ１になった時点、第２角度θ２になった時点、第３角度θ３になった時点のそれぞれにおいて、読取動作を実行する。原稿位置判定部５２は、第１角度θ１での読取データまたは第２角度θ２での読取データと、第３角度θ３での読取データとを用いて、主走査方向における原稿の配置基準位置を判定する。原稿サイズ検出部５３は、主走査方向における原稿の配置基準位置が原稿台の後側の端であると判定された場合、第２角度θ２での読取データと第３角度θ３での読取データとの比較結果に基づき原稿幅を検出する。また、原稿サイズ検出部５３は、主走査方向における原稿の配置基準位置が原稿台の前側の端であると判定された場合、第１角度θ１での読取データと第３角度θ３での読取データとの比較結果に基づき原稿幅を検出する。【選択図】図５
2018037728.tif 000002
【特許請求の範囲】
【請求項１】
原稿が表面に載置される透明な原稿台と、
前記原稿台に載置される原稿の幅方向に平行な主走査方向に直交する方向の回動軸を中心に回動することで前記原稿台の表面に対して開閉し、閉状態において前記原稿台上の原稿を押さえる圧板と、
前記原稿台の裏面側から前記原稿台に向けて光を出射する光源と、
主走査方向に沿って配置された複数の読取素子を有し、前記原稿台の裏面側において前記原稿台側からの光を前記読取素子で受光するラインセンサと、
前記圧板が開状態から閉じられる際に、前記圧板の傾斜角度が第１角度になった時点、前記第１角度より小さい第２角度になった時点、および前記第２角度より小さい第３角度になった時点のそれぞれにおいて、前記光源から前記原稿台に向けて光を出射し、前記ラインセンサで前記原稿台側からの光を受光して読取データを取得する読取動作を実行する読取制御部と、
前記第１角度での読取データと前記第３角度での読取データとの比較結果、または前記第２角度での読取データと前記第３角度での読取データとの比較結果に基づき、主走査方向における原稿の配置基準位置が前記原稿台の前記回動軸側の端か前記回動軸側とは反対側の端かを判定する原稿位置判定部と、
主走査方向における原稿の配置基準位置が前記原稿台の前記回動軸側の端であると判定された場合、前記第２角度での読取データと前記第３角度での読取データとの比較結果に基づき原稿幅を検出し、主走査方向における原稿の配置基準位置が前記原稿台の前記回動軸側とは反対側の端であると判定された場合、前記第１角度での読取データと前記第３角度での読取データとの比較結果に基づき原稿幅を検出する原稿幅検出部と
を備えることを特徴とする画像読取装置。
【請求項２】
原稿が表面に載置される透明な原稿台と、
前記原稿台に載置される原稿の幅方向に平行な主走査方向に直交する方向の回動軸を中心に回動することで前記原稿台の表面に対して開閉し、閉状態において前記原稿台上の原稿を押さえる圧板と、
前記原稿台の裏面側から前記原稿台に向けて光を出射する光源と、
主走査方向に沿って配置された複数の読取素子を有し、前記原稿台の裏面側において前記原稿台側からの光を前記読取素子で受光するラインセンサと、
主走査方向における原稿の配置基準位置を、前記原稿台の前記回動軸側の端または前記回動軸側とは反対側の端に設定する原稿位置設定部と、
前記圧板が開状態から閉じられる際に、前記圧板の傾斜角度が第１角度になった時点、前記第１角度より小さい第２角度になった時点、および前記第２角度より小さい第３角度になった時点のうちの２つの時点において、前記光源から前記原稿台に向けて光を出射し、前記ラインセンサで前記原稿台側からの光を受光して読取データを取得する読取動作を実行する読取制御部と、
前記圧板が開状態から閉じられる際に読取動作を行った２つの時点における読取データの比較結果に基づき原稿幅を検出する原稿幅検出部とを備え、
前記読取制御部は、主走査方向における原稿の配置基準位置が前記原稿台の前記回動軸側の端に設定された場合、前記圧板の傾斜角度が前記第１角度になった時点および前記第３角度になった時点において読取動作を実行し、主走査方向における原稿の配置基準位置が前記原稿台の前記回動軸側の反対側の端に設定された場合、前記圧板の傾斜角度が前記第２角度になった時点および前記第３角度になった時点において読取動作を実行することを特徴とする画像読取装置。
【請求項３】
前記読取制御部は、前記圧板が開状態で前記原稿台に原稿が未載置のときに、前記ラインセンサで前記原稿台側からの光を受光して読取データを取得するよう制御し、
前記原稿位置設定部は、前記圧板が開状態で前記原稿台に原稿が未載置のときに取得された読取データに基づき外乱光の有無を判定し、外乱光があると判定した場合、主走査方向における原稿の配置基準位置を前記原稿台の前記回動軸側とは反対側の端に設定することを特徴とする請求項２に記載の画像読取装置。
【発明の詳細な説明】
【技術分野】
【０００１】
本発明は、原稿の画像を光学的に読み取る画像読取装置に関する。
【背景技術】
【０００２】
複写機等に備えられ、原稿台に載置された原稿を光学的に読み取る画像読取装置において、原稿の読み取りを正確に行うために、原稿サイズの検出が行われている。
【０００３】
画像読取装置における原稿サイズの検出に関して、特許文献１には、原稿を押さえるための圧板が閉じられる際に、圧板の傾斜角度が異なる２つのタイミングで読取動作を行い、２つの読取データを比較して原稿幅を検出する技術が開示されている。この特許文献１の技術では、原稿台の原稿外の領域では圧板の傾斜角度の変化に応じて圧板からの反射光による輝度が変化する一方で、原稿からの反射光による輝度は変化しないことを利用して、上述の２つの読取データから原稿幅を検出している。
【先行技術文献】
【特許文献】
【０００４】
【特許文献１】特開２００７−１７４２２１号公報
【発明の概要】
【発明が解決しようとする課題】
【０００５】
上述のような画像読取装置では、一般に、圧板の開閉操作を行うユーザから見て原稿台の奥側に原稿が載置されるが、原稿台の手前側に原稿を載置することを選択できる画像読取装置もある。
【０００６】
原稿台の奥側に原稿が載置されている場合、原稿台の手前側の領域が原稿で覆われていない状態になる。また、圧板が開いた状態では、原稿台の手前側の領域に外乱光が入射することがある。このため、原稿台の奥側に原稿が載置されている場合、上述した特許文献１の技術のような原稿幅の検出方法では、読取動作を行う際の圧板の傾斜角度によっては、読取データに外乱光が映り込み、原稿幅の誤検出を招くおそれがある。
【０００７】
一方、原稿台の手前側に原稿が載置されている場合、上述のような外乱光の映り込みは抑えられる。しかし、この場合、原稿台の奥側の領域が原稿で覆われていない状態になるところ、奥側に向かうほど、傾斜した圧板と原稿台の下方の画像読取ユニットとの間隔が狭くなるため、圧板の映り込みが発生しやすくなる。このため、原稿台の手前側に原稿が載置されている場合、上述した特許文献１の技術のような原稿幅の検出方法では、読取動作を行う際の圧板の傾斜角度によっては、圧板の映り込みによる原稿幅の誤検出が生じるおそれがある。
【０００８】
ここで、上述した原稿台の奥側に原稿が載置されている場合における外乱光の映り込みは、圧板の傾斜角度が大きいほど発生しやすい。一方、原稿台の手前側に原稿が載置されている場合における圧板の映り込みは、圧板の傾斜角度が小さいほど発生しやすい。
【０００９】
例えば、上述した特許文献１の技術のような原稿幅の検出方法において１回目の読取動作を行う際の圧板の傾斜角度が、原稿台の奥側に原稿が載置されている場合における外乱光の映り込みが抑えられる程度に小さい角度であるとする。この場合、原稿台の奥側に原稿が載置された場合では、外乱光の映り込みが抑えられることで、高精度で原稿幅を検出できる。しかし、原稿台の手前側に原稿が載置された場合には、圧板の映り込みが発生しやすくなる。このため、原稿台の手前側に原稿が載置された場合には、原稿幅の誤検出が生じるおそれがある。
【００１０】
また、１回目の読取動作を行う際の圧板の傾斜角度が、原稿台の手前側に原稿が載置されている場合における圧板の映り込みが抑えられる程度に大きい角度であるとする。この場合、原稿台の手前側に原稿が載置された場合には、圧板の映り込みが抑えられることで、高精度で原稿幅を検出できる。しかし、原稿台の奥側に原稿が載置された場合には、１回目の読取動作において外乱光の映り込みが発生しやすくなる。このため、原稿台の奥側に原稿が載置された場合には、原稿幅の誤検出が生じるおそれがある。
【００１１】
本発明は上記に鑑みてなされたもので、原稿サイズの誤検出を低減できる画像読取装置を提供することを目的とする。
【課題を解決するための手段】
【００１２】
上記目的を達成するため、本発明に係る画像読取装置の第１の特徴は、前記原稿台に載置される原稿の幅方向に平行な主走査方向に直交する方向の回動軸を中心に回動することで前記原稿台の表面に対して開閉し、閉状態において前記原稿台上の原稿を押さえる圧板と、前記原稿台の裏面側から前記原稿台に向けて光を出射する光源と、主走査方向に沿って配置された複数の読取素子を有し、前記原稿台の裏面側において前記原稿台側からの光を前記読取素子で受光するラインセンサと、前記圧板が開状態から閉じられる際に、前記圧板の傾斜角度が第１角度になった時点、前記第１角度より小さい第２角度になった時点、および前記第２角度より小さい第３角度になった時点のそれぞれにおいて、前記光源から前記原稿台に向けて光を出射し、前記ラインセンサで前記原稿台側からの光を受光して読取データを取得する読取動作を実行する読取制御部と、前記第１角度での読取データと前記第３角度での読取データとの比較結果、または前記第２角度での読取データと前記第３角度での読取データとの比較結果に基づき、主走査方向における原稿の配置基準位置が前記原稿台の前記回動軸側の端か前記回動軸側とは反対側の端かを判定する原稿位置判定部と、主走査方向における原稿の配置基準位置が前記原稿台の前記回動軸側の端であると判定された場合、前記第２角度での読取データと前記第３角度での読取データとの比較結果に基づき原稿幅を検出し、主走査方向における原稿の配置基準位置が前記原稿台の前記回動軸側とは反対側の端であると判定された場合、前記第１角度での読取データと前記第３角度での読取データとの比較結果に基づき原稿幅を検出する原稿幅検出部とを備えることにある。
【００１３】
本発明に係る画像読取装置の第２の特徴は、原稿が表面に載置される透明な原稿台と、前記原稿台に載置される原稿の幅方向に平行な主走査方向に直交する方向の回動軸を中心に回動することで前記原稿台の表面に対して開閉し、閉状態において前記原稿台上の原稿を押さえる圧板と、前記原稿台の裏面側から前記原稿台に向けて光を出射する光源と、主走査方向に沿って配置された複数の読取素子を有し、前記原稿台の裏面側において前記原稿台側からの光を前記読取素子で受光するラインセンサと、主走査方向における原稿の配置基準位置を、前記原稿台の前記回動軸側の端または前記回動軸側とは反対側の端に設定する原稿位置設定部と、前記圧板が開状態から閉じられる際に、前記圧板の傾斜角度が第１角度になった時点、前記第１角度より小さい第２角度になった時点、および前記第２角度より小さい第３角度になった時点のうちの２つの時点において、前記光源から前記原稿台に向けて光を出射し、前記ラインセンサで前記原稿台側からの光を受光して読取データを取得する読取動作を実行する読取制御部と、前記圧板が開状態から閉じられる際に読取動作を行った２つの時点における読取データの比較結果に基づき原稿幅を検出する原稿幅検出部とを備え、前記読取制御部は、主走査方向における原稿の配置基準位置が前記原稿台の前記回動軸側の端に設定された場合、前記圧板の傾斜角度が前記第１角度になった時点および前記第３角度になった時点において読取動作を実行し、主走査方向における原稿の配置基準位置が前記原稿台の前記回動軸側の反対側の端に設定された場合、前記圧板の傾斜角度が前記第２角度になった時点および前記第３角度になった時点において読取動作を実行することにある。
【００１４】
本発明に係る画像読取装置の第３の特徴は、前記読取制御部は、前記圧板が開状態で前記原稿台に原稿が未載置のときに、前記ラインセンサで前記原稿台側からの光を受光して読取データを取得するよう制御し、前記原稿位置設定部は、前記圧板が開状態で前記原稿台に原稿が未載置のときに取得された読取データに基づき外乱光の有無を判定し、外乱光があると判定した場合、主走査方向における原稿の配置基準位置を前記原稿台の前記回動軸側とは反対側の端に設定することにある。
【発明の効果】
【００１５】
本発明に係る画像読取装置の第１の特徴によれば、原稿幅検出部は、主走査方向における原稿の配置基準位置が原稿台の回動軸側の端であると判定された場合、第２角度での読取データと第３角度での読取データとの比較結果に基づき原稿幅を検出する。主走査方向における原稿の配置基準位置が原稿台の回動軸側とは反対側の端であると判定された場合、原稿幅検出部は、第１角度での読取データと第３角度での読取データとの比較結果に基づき原稿幅を検出する。
【００１６】
このように、原稿幅検出部は、主走査方向における原稿の配置基準位置に応じて、第１〜第３角度での読取データから、原稿幅の検出に使用する読取データの組み合わせを選択している。これにより、主走査方向における原稿の配置基準位置が原稿台の回動軸側の端である場合における読取データへの外乱光の映り込みによる用紙幅の誤検出を低減できる。また、主走査方向における原稿の配置基準位置が原稿台の回動軸側とは反対側の端である場合における読取データへの圧板の映り込みによる用紙幅の誤検出を低減できる。この結果、原稿サイズの誤検出を低減できる。
【００１７】
本発明に係る画像読取装置の第２の特徴によれば、読取制御部は、主走査方向における原稿の配置基準位置が原稿台の回動軸側の端に設定された場合、圧板の傾斜角度が第１角度になった時点および第３角度になった時点において読取動作を実行する。主走査方向における原稿の配置基準位置が原稿台の回動軸側の反対側の端に設定された場合、読取制御部は、圧板の傾斜角度が第２角度になった時点および第３角度になった時点において読取動作を実行する。原稿幅検出部は、圧板が開状態から閉じられる際に読取動作を行った２つの時点における読取データの比較結果に基づき原稿幅を検出する。
【００１８】
このように、読取制御部は、主走査方向における原稿の配置基準位置に応じて、第１〜第３角度から、原稿幅の検出に使用する読取データを取得する角度の組み合わせを選択している。これにより、主走査方向における原稿の配置基準位置が原稿台の回動軸側の端である場合における読取データへの外乱光の映り込みによる用紙幅の誤検出を低減できる。また、主走査方向における原稿の配置基準位置が原稿台の回動軸側とは反対側の端である場合における読取データへの圧板の映り込みによる用紙幅の誤検出を低減できる。この結果、原稿サイズの誤検出を低減できる。
【００１９】
本発明に係る画像読取装置の第３の特徴によれば、原稿位置設定部は、圧板が開状態で原稿台に原稿が未載置のときに取得された読取データに基づき外乱光の有無を判定し、外乱光があると判定した場合、主走査方向における原稿の配置基準位置を原稿台の回動軸側とは反対側の端に設定する。原稿が原稿台の回動軸側とは反対側にある方が、回動軸側にあるよりも、原稿台への外乱光の入射が抑えられるため、外乱光がある場合に主走査方向における原稿の配置基準位置を原稿台の回動軸側とは反対側の端とすることで、外乱光の影響による用紙幅の誤検出をより低減できる。
【図面の簡単な説明】
【００２０】
【図１】第１実施形態に係る画像読取装置の概略構成を模式的に示すブロック図である。
【図２】図１に示す画像読取装置の外観図である。
【図３】図１に示す画像読取装置の側面図である。
【図４】図１に示す画像読取装置の画像読取ユニットを示す平面図である。
【図５】図１に示す画像読取装置の特徴的な機能部を示すブロック図である。
【図６】第１実施形態における原稿幅の検出動作を説明するためのフローチャートである。
【図７】主走査方向における原稿の配置基準位置が原稿台の後側の端で、圧板の傾斜角度が第１角度である場合の読取データを示す図である。
【図８】主走査方向における原稿の配置基準位置が原稿台の後側の端で、圧板の傾斜角度が第２角度である場合の読取データを示す図である。
【図９】主走査方向における原稿の配置基準位置が原稿台の後側の端で、圧板の傾斜角度が第３角度である場合の読取データを示す図である。
【図１０】主走査方向における原稿の配置基準位置が原稿台の前側の端で、圧板の傾斜角度が第１角度である場合の読取データを示す図である。
【図１１】主走査方向における原稿の配置基準位置が原稿台の前側の端で、圧板の傾斜角度が第２角度である場合の読取データを示す図である。
【図１２】主走査方向における原稿の配置基準位置が原稿台の前側の端で、圧板の傾斜角度が第３角度である場合の読取データを示す図である。
【図１３】第２実施形態に係る画像読取装置の特徴的な機能部を示すブロック図である。
【図１４】第２実施形態における原稿幅の検出動作を説明するためのフローチャートである。
【図１５】第３実施形態における原稿幅の検出動作を説明するためのフローチャートである。
【発明を実施するための形態】
【００２１】
以下、本発明の実施の形態について、図面を参照して説明する。各図面を通じて同一もしくは同等の部位や構成要素には、同一もしくは同等の符号を付している。
【００２２】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００２３】
（第１実施形態）
図１は、本発明の第１実施形態に係る画像読取装置の概略構成を模式的に示すブロック図である。図２は、図１に示す画像読取装置の外観図である。図３は、図１に示す画像読取装置の側面図である。図４は、図１に示す画像読取装置の画像読取ユニットを示す平面図である。図５は、図１に示す画像読取装置の特徴的な機能部を示すブロック図である。なお、以下の説明において、図２の矢印で示す上下左右前後を上下左右前後方向とする。
【００２４】
図１、図２に示すように、第１実施形態に係る画像読取装置１は、装置本体２と、原稿台カバー３と、操作パネル４とを備える。
【００２５】
装置本体２は、原稿台１１、カバーオープンセンサ１２、画像読取ユニット１３、および制御回路１４を保持または収納している。
【００２６】
原稿台１１は、読取対象の原稿が載置される台である。原稿台１１は、透明なガラスからなる。原稿台１１の表面（上面）に原稿が載置される。原稿台１１は、平面視矩形状に形成されている。
【００２７】
ここで、本実施形態において、主走査方向（前後方向）に平行な方向を、原稿の幅方向とする。すなわち、原稿の主走査方向の長さを、原稿幅とする。原稿台１１の主走査方向（前後方向）の長さは、画像読取装置１で読み取り可能な原稿サイズのうち原稿幅が最大である原稿サイズにおける原稿幅よりも大きい。原稿台１１の副走査方向（左右方向）の長さは、画像読取装置１で読み取り可能な原稿サイズのうち副走査方向の長さが最大である原稿サイズにおける副走査方向の長さよりも大きい。
【００２８】
原稿台１１において、主走査方向における原稿の配置基準位置は、原稿台１１の後側（奥側）の端または前側（手前側）の端である。また、副走査方向における原稿の配置基準位置は、原稿台１１の左端である。すなわち、原稿は、主走査方向においては、その前側の辺を原稿台１１の前側の辺に合わせるか、その後側の辺を原稿台１１の後側の辺に合わせ、副走査方向においては、その左側の辺を原稿台１１の左側の辺に合わせるように、原稿台１１に載置される。
【００２９】
カバーオープンセンサ１２は、後述する原稿台カバー３の圧板３１の開閉状態および傾斜角度θを検出する。圧板３１の傾斜角度θは、水平面である原稿台１１の表面と圧板３１とがなす角度である。図３に示すように、カバーオープンセンサ１２は、センサフラッグ１６と、光学センサ１７〜１９とを備える。
【００３０】
センサフラッグ１６は、原稿台カバー３の開閉に応じて上下動する。センサフラッグ１６は、原稿台カバー３の回動軸２６の前側近傍に配置されている。
【００３１】
光学センサ１７〜１９は、センサフラッグ１６を検出する。光学センサ１７の下方に光学センサ１８が配置され、光学センサ１８の下方に光学センサ１９が配置されている。光学センサ１７〜１９におけるセンサフラッグ１６の検出状態により、圧板３１の傾斜角度θが検出可能になっている。
【００３２】
具体的には、光学センサ１７〜１９がすべてオフ（センサフラッグ１６を検出していない状態）のとき、圧板３１の傾斜角度θは、第１角度θ１より大きい。光学センサ１７がオン（センサフラッグ１６を検出している状態）で光学センサ１８，１９がオフのとき、圧板３１の傾斜角度θは、第１角度θ１以下で第２角度θ２より大きい。光学センサ１７，１８がオンで光学センサ１９がオフのとき、圧板３１の傾斜角度θは、第２角度θ２以下で第３角度θ３より大きい。光学センサ１７〜１９がすべてオンのとき、圧板３１の傾斜角度θは、第３角度θ３以下である。
【００３３】
画像読取ユニット１３は、原稿台１１上の原稿に光を出射し、原稿による反射光を受光することにより画像を読み取る。画像読取ユニット１３は、原稿台１１の裏面側（下方）に配置されている。画像読取ユニット１３は、図示しないモータ等により、副走査方向（左右方向）に水平移動可能に構成されている。図４、図５に示すように、画像読取ユニット１３は、２つの光源２１と、ラインセンサ２２とを備える。
【００３４】
光源２１は、原稿台１１の裏面側から原稿台１１に向けて光を出射する。２つの光源２１は、ラインセンサ２２を挟んで左右方向に並列して配置されている。
【００３５】
ラインセンサ２２は、主走査方向（前後方向）に沿って配置された複数の読取素子を有する。ラインセンサ２２は、原稿台１１側からの光を読取素子で受光し、読取データを生成する。ラインセンサ２２の読取素子は、例えば、ＣＣＤ（Charge Coupled Device）からなる。
【００３６】
制御回路１４は、画像読取装置１全体の動作を制御する。制御回路１４の詳細は後述する。
【００３７】
原稿台カバー３は、原稿台１１を覆うものである。原稿台カバー３は、原稿台１１の後端より後方に配置された回動軸２６を中心に回動することで、原稿台１１に対して開閉する。回動軸２６は、主走査方向（前後方向）に直交する副走査方向（左右方向）に平行な軸である。原稿台カバー３は、原稿台１１に載置された原稿を押さえる圧板３１を備える。圧板３１は、原稿台１１全体を覆う大きさの白色の板状に形成されている。圧板３１は、原稿台カバー３の回動により、原稿台１１の表面に対して開閉する。
【００３８】
操作パネル４は、各種の入力画面等を表示するとともに、ユーザによる入力操作を受け付ける。操作パネル４は、画像読取装置１が接続される印刷装置が備えるものでもよい。図５に示すように、操作パネル４は、表示部３６と、入力部３７とを備える。
【００３９】
表示部３６は、各種の入力画面等を表示する。表示部３６は、液晶表示パネル等を有する。
【００４０】
入力部３７は、ユーザによる入力操作を受け付け、操作に応じた操作信号を出力する。入力部３７は、各種の操作キー、タッチパネル等を有する。
【００４１】
次に、上述した制御回路１４の構成を説明する。図５に示すように、制御回路１４は、ＣＰＵ４１と、ＲＡＭ４２と、フラッシュメモリ４３と、ＦｅＲＡＭ４４と、入出力Ｉ／Ｆ（インタフェース）４５とを備える。
【００４２】
ＣＰＵ４１は、フラッシュメモリ４３に格納されたプログラムに従って動作することにより、読取制御部５１と、原稿位置判定部５２と、原稿サイズ検出部（請求項の原稿幅検出部に相当）５３とを構築する。
【００４３】
読取制御部５１は、原稿台１１に載置された原稿の画像を読み取るよう画像読取ユニット１３を制御する。また、読取制御部５１は、原稿の読み取り開始前に、画像読取ユニット１３による原稿幅の検出のための読取動作を実行する。具体的には、読取制御部５１は、圧板３１が開状態から閉じられる際に、圧板３１の傾斜角度θが第１角度θ１になった時点、第１角度θ１より小さい第２角度θ２になった時点、第２角度θ２より小さい第３角度θ３になった時点のそれぞれにおいて、光源２１から原稿台１１に向けて光を出射し、ラインセンサ２２で原稿台１１側からの光を受光して読取データを取得する読取動作を実行する。
【００４４】
原稿位置判定部５２は、圧板３１が開状態から閉じられる際に得られた第１角度θ１での読取データと第３角度θ３での読取データとの比較結果、または第２角度θ２での読取データと第３角度θ３での読取データとの比較結果に基づき、主走査方向（前後方向）における原稿の配置基準位置が原稿台１１の後側（回動軸２６側）の端か前側（回動軸２６側とは反対側）の端かを判定する。
【００４５】
原稿サイズ検出部５３は、原稿位置判定部５２による主走査方向における原稿の配置基準位置の判定結果に応じた各読取データに基づき、原稿幅を検出する。具体的には、原稿サイズ検出部５３は、主走査方向における原稿の配置基準位置が原稿台１１の後側の端であると判定された場合、第２角度θ２での読取データと第３角度θ３での読取データとの比較結果に基づき原稿幅を検出する。また、原稿サイズ検出部５３は、主走査方向における原稿の配置基準位置が原稿台１１の前側の端であると判定された場合、第１角度θ１での読取データと第３角度θ３での読取データとの比較結果に基づき原稿幅を検出する。
【００４６】
また、原稿サイズ検出部５３は、図示しない用紙長さセンサの検出結果に基づき、原稿の副走査方向の長さを検出する。
【００４７】
ＲＡＭ４２は、一時的なデータの保存や演算時におけるＣＰＵ４１のワークエリアとして使用されるものである。
【００４８】
フラッシュメモリ４３は、プログラム等が不揮発的に記録されたものである。
【００４９】
ＦｅＲＡＭ４４は、画像読取装置１の機体に固有の各種の調整値等が不揮発的に記録されたものである。
【００５０】
入出力Ｉ／Ｆ４５は、制御回路１４に操作パネル４を接続するものである。
【００５１】
次に、画像読取装置１における原稿幅の検出動作について説明する。
【００５２】
原稿幅の検出動作は、原稿の読み取りを行う際に、読み取り開始前に行われる。図６は、第１実施形態における原稿幅の検出動作を説明するためのフローチャートである。図６のフローチャートの処理は、ユーザの操作により原稿台カバー３が開かれ、圧板３１が開状態となったことにより開始となる。圧板３１が開状態となったことは、カバーオープンセンサ１２の光学センサ１７がオフになったことにより検出される。圧板３１が開状態となった後、ユーザの操作により原稿台１１に原稿が載置され、圧板３１が閉じられ始める。
【００５３】
図６のステップＳ１において、読取制御部５１は、開状態から閉じられ始めた圧板３１の傾斜角度θが第１角度θ１になったか否かを判断する。ここで、読取制御部５１は、光学センサ１７がオフからオンに変化すると、圧板３１の傾斜角度θが第１角度θ１になったと判断する。圧板３１の傾斜角度θが第１角度θ１になっていないと判断した場合（ステップＳ１：ＮＯ）、読取制御部５１は、ステップＳ１を繰り返す。
【００５４】
圧板３１の傾斜角度θが第１角度θ１になったと判断した場合（ステップＳ１：ＹＥＳ）、ステップＳ２において、読取制御部５１は、画像読取ユニット１３による読取動作を実行して読取データを取得する。
【００５５】
ここで、読取制御部５１は、画像読取ユニット１３を待機位置から原稿サイズ検出位置へ移動させており、原稿サイズ検出位置に配置された画像読取ユニット１３による読取動作を実行する。待機位置は、待機中の画像読取ユニット１３の位置であり、原稿台１１の左端より左方にある。原稿サイズ検出位置は、原稿幅の検出のための読取動作を行う位置であり、原稿台１１の左端から所定距離だけ右側にある。
【００５６】
次いで、ステップＳ３において、読取制御部５１は、圧板３１の傾斜角度θが第２角度θ２になったか否かを判断する。ここで、読取制御部５１は、光学センサ１８がオフからオンに変化すると、圧板３１の傾斜角度θが第２角度θ２になったと判断する。圧板３１の傾斜角度θが第２角度θ２になっていないと判断した場合（ステップＳ３：ＮＯ）、読取制御部５１は、ステップＳ３を繰り返す。
【００５７】
圧板３１の傾斜角度θが第２角度θ２になったと判断した場合（ステップＳ３：ＹＥＳ）、ステップＳ４において、読取制御部５１は、画像読取ユニット１３による読取動作を実行して読取データを取得する。
【００５８】
次いで、ステップＳ５において、読取制御部５１は、圧板３１の傾斜角度θが第３角度θ３になったか否かを判断する。ここで、読取制御部５１は、光学センサ１９がオフからオンに変化すると、圧板３１の傾斜角度θが第３角度θ３になったと判断する。圧板３１の傾斜角度θが第３角度θ３になっていないと判断した場合（ステップＳ５：ＮＯ）、読取制御部５１は、ステップＳ５を繰り返す。
【００５９】
圧板３１の傾斜角度θが第３角度θ３になったと判断した場合（ステップＳ５：ＹＥＳ）、ステップＳ６において、読取制御部５１は、画像読取ユニット１３による読取動作を実行して読取データを取得する。
【００６０】
次いで、ステップＳ７において、原稿位置判定部５２は、第１角度θ１での読取データまたは第２角度θ２での読取データと、第３角度θ３での読取データとを用いて、主走査方向における原稿の配置基準位置を判定する。
【００６１】
ここで、主走査方向における原稿の配置基準位置と第１〜第３角度θ１〜θ３での読取データとの関係について説明する。
【００６２】
図７は、主走査方向における原稿の配置基準位置が原稿台１１の後側の端である場合、すなわち、原稿Ｇが原稿台１１上の後側に配置されている場合の第１角度θ１での読取データにおける輝度を示す図である。図８は、原稿Ｇが原稿台１１上の後側に配置されている場合の第２角度θ２での読取データにおける輝度を示す図である。図９は、原稿Ｇが原稿台１１上の後側に配置されている場合の第３角度θ３での読取データにおける輝度を示す図である。
【００６３】
原稿台１１が原稿Ｇで覆われた領域では、原稿Ｇによる反射光がラインセンサ２２で受光されるので、図７〜図９に示すように、読取データにおける原稿Ｇに対応する領域の画素は、原稿Ｇからの反射光による輝度を有する。この原稿Ｇに対応する領域における輝度は、読取動作時の圧板３１の傾斜角度θにかかわらず変化しない。
【００６４】
原稿Ｇが原稿台１１上の後側に配置されている場合において、圧板３１の傾斜角度θが第１角度θ１の場合、図７に示すように、原稿台１１の原稿Ｇより前側の領域に入射する外乱光Ｌがラインセンサ２２で受光され、読取データに映り込む。この外乱光Ｌの映り込みにより、原稿Ｇに対応する領域と原稿Ｇより前側の領域との間で輝度の差があまり大きくならない。
【００６５】
圧板３１の傾斜角度θが第２角度θ２の場合、圧板３１の傾斜角度θが第１角度θ１の場合よりも原稿台１１と圧板３１との間の開放部分が狭いため、原稿台１１への外乱光Ｌの入射が抑えられる。このため、原稿Ｇが原稿台１１上の後側に配置されている場合でも、外乱光Ｌの映り込みは抑えられ、図８に示すように、原稿Ｇより前側の領域では輝度が低くなる。
【００６６】
圧板３１の傾斜角度θが第３角度θ３の場合、原稿Ｇより前側の領域において、ラインセンサ２２と圧板３１との間隔が、ラインセンサ２２と原稿Ｇとの間隔と同程度になる。このため、図９に示すように、原稿Ｇより前側の領域における圧板３１からの反射光による輝度と、原稿Ｇからの反射光による輝度とが同程度になる。
【００６７】
図１０は、主走査方向における原稿Ｇの配置基準位置が原稿台１１の前側の端である場合、すなわち、原稿Ｇが原稿台１１上の前側に配置されている場合の第１角度θ１での読取データにおける輝度を示す図である。図１１は、原稿Ｇが原稿台１１上の前側に配置されている場合の第２角度θ２での読取データにおける輝度を示す図である。図１２は、原稿Ｇが原稿台１１上の前側に配置されている場合の第３角度θ３での読取データにおける輝度を示す図である。
【００６８】
図１０〜図１２に示すように、原稿が原稿台１１上の前側に配置されている場合でも、原稿Ｇに対応する領域における輝度は、読取動作時の圧板３１の傾斜角度θにかかわらず変化しない。
【００６９】
原稿Ｇが原稿台１１上の前側に配置されている場合、原稿台１１の前側の領域における原稿台１１への外乱光Ｌの入射が原稿Ｇにより抑えられる。原稿Ｇより後側には原稿台１１が原稿Ｇで覆われていない領域があるが、圧板３１の傾斜角度θが第１角度θ１の場合でも、外乱光Ｌは、その領域まではほとんど到達しない。このため、圧板３１の傾斜角度θが第１角度θ１の場合、図１０に示すように、原稿Ｇより後側の領域では輝度が低くなる。
【００７０】
圧板３１の傾斜角度θが第２角度θ２の場合、圧板３１の傾斜角度θが第１角度θ１の場合よりも圧板３１とラインセンサ２２との間隔が狭く、その間隔は後側ほど狭くなるため、原稿Ｇより後側の領域において、圧板３１の映り込みが発生する。このため、図１１に示すように、原稿Ｇに対応する領域と原稿Ｇより後側の領域との間で輝度の差があまり大きくならない。
【００７１】
圧板３１の傾斜角度θが第３角度θ３の場合、原稿Ｇより後側の領域において、ラインセンサ２２と圧板３１との間隔が、ラインセンサ２２と原稿Ｇとの間隔と同程度になる。このため、図１２に示すように、原稿Ｇより後側の領域における圧板３１からの反射光による輝度と、原稿Ｇからの反射光による輝度とが同程度になる。
【００７２】
ここで、第１角度θ１は、原稿Ｇが原稿台１１上の前側に配置されている場合において、圧板３１の映り込みが発生しにくい圧板３１の傾斜角度として予め設定されたものである。第１角度θ１は、例えば、４５°〜６０°の範囲内で設定される。
【００７３】
第２角度θ２は、原稿Ｇが原稿台１１上の後側に配置されている場合において、外乱光Ｌの映り込みが発生しにくい圧板３１の傾斜角度として予め設定されたものである。第２角度θ２は、例えば、１５°〜３０°の範囲内で設定される。
【００７４】
第３角度θ３は、圧板３１がほぼ閉状態となり、圧板３１からの反射光による輝度が原稿Ｇからの反射光による輝度と同程度になるような圧板３１の傾斜角度として予め設定されたものである。第３角度θ３は、例えば、０°〜１０°の範囲内で設定される。
【００７５】
上述のような、主走査方向における原稿の配置基準位置と各読取データとの関係があることから、第１角度θ１での読取データまたは第２角度θ２での読取データと、第３角度θ３での読取データとを用いて、主走査方向における原稿の配置基準位置を判定できる。
【００７６】
ここでは、第１角度θ１での読取データと第３角度θ３での読取データとを用いて主走査方向における原稿の配置基準位置を判定するものとする。原稿位置判定部５２は、第１角度θ１での読取データと第３角度θ３での読取データとを比較し、この２つの読取データ間の各画素の輝度の差分を算出する。輝度の差分が所定の閾値以上である画素の数が所定の規定数以上である場合、原稿位置判定部５２は、主走査方向における原稿の配置基準位置が原稿台１１の前側の端であると判定する。輝度の差分が閾値以上である画素の数が規定数未満である場合、原稿位置判定部５２は、主走査方向における原稿の配置基準位置が原稿台１１の後側の端であると判定する。
【００７７】
図７、図９に示すように、原稿Ｇが後側に配置されている場合、原稿Ｇより前側の領域でも、第１角度θ１での読取データと第３角度θ３での読取データとの間における輝度の差が小さい。一方、原稿Ｇが前側に配置されている場合、図１０、図１２に示すように、第１角度θ１での読取データと第３角度θ３での読取データとの間で、原稿Ｇより後側の領域おける輝度の差が大きい。このことから、上述のように、第１角度θ１での読取データと第３角度θ３での読取データとの比較結果に基づき、主走査方向における原稿の配置基準位置を判定できる。
【００７８】
なお、第２角度θ２での読取データと第３角度θ３での読取データとを用いて、主走査方向における原稿の配置基準位置を判定する場合は、次のように判定が行われる。原稿位置判定部５２は、第２角度θ２での読取データと第３角度θ３での読取データとを比較し、この２つの読取データ間の各画素の輝度の差分を算出する。輝度の差分が閾値以上である画素の数が規定数以上である場合、原稿位置判定部５２は、主走査方向における原稿の配置基準位置が原稿台１１の後側の端であると判定する。輝度の差分が閾値以上である画素の数が規定数以上である場合、原稿位置判定部５２は、主走査方向における原稿の配置基準位置が原稿台１１の前側の端であると判定する。
【００７９】
図８、図９に示すように、原稿Ｇが後側に配置されている場合、第２角度θ２での読取データと第３角度θ３での読取データとの間で、原稿Ｇより前側の領域おける輝度の差が大きい。一方、原稿Ｇが前側に配置されている場合、図１１、図１２に示すように、原稿Ｇより後側の領域でも、第２角度θ２での読取データと第３角度θ３での読取データとの間における輝度の差が小さい。このことから、上述のように、第２角度θ２での読取データと第３角度θ３での読取データとの比較結果に基づき、主走査方向における原稿の配置基準位置を判定できる。
【００８０】
図６に戻り、ステップＳ８において、原稿サイズ検出部５３は、主走査方向における原稿の配置基準位置の判定結果に応じた各読取データに基づき、原稿幅を検出する。
【００８１】
具体的には、原稿サイズ検出部５３は、主走査方向における原稿の配置基準位置が原稿台１１の後側の端であると判定された場合、第２角度θ２での読取データと第３角度θ３での読取データとの比較結果に基づき原稿幅を検出する。また、原稿サイズ検出部５３は、主走査方向における原稿の配置基準位置が原稿台１１の前側の端であると判定された場合、第１角度θ１での読取データと第３角度θ３での読取データとの比較結果に基づき原稿幅を検出する。
【００８２】
より具体的には、原稿サイズ検出部５３は、主走査方向における原稿の配置基準位置が原稿台１１の後側の端であると判定された場合、第２角度θ２での読取データと第３角度θ３での読取データとの間の各画素の輝度の差分を算出する。そして、原稿サイズ検出部５３は、輝度の差分が所定の閾値以下の画素からなる部分を、原稿がある部分と判定し、その部分の長さを原稿幅として検出する。
【００８３】
図７、図８に示すように、原稿Ｇが後側に配置されている場合、第１角度θ１での読取データには、原稿幅の誤検出の要因となる外乱光Ｌの映り込みがあるが、第２角度θ２での読取データには外乱光Ｌの映り込みも圧板３１の映り込みも少ない。このため、原稿Ｇが後側に配置されている場合、原稿サイズ検出部５３は、第２角度θ２での読取データと第３角度θ３での読取データを用いて原稿幅を検出する。
【００８４】
また、原稿サイズ検出部５３は、主走査方向における原稿の配置基準位置が原稿台１１の前側の端であると判定された場合、第１角度θ１での読取データと第３角度θ３での読取データとの間の各画素の輝度の差分を算出する。そして、原稿サイズ検出部５３は、輝度の差分が閾値以下の画素からなる部分を、原稿がある部分と判定し、その部分の長さを原稿幅として検出する。
【００８５】
図１０、図１１に示すように、原稿Ｇが前側に配置されている場合、第２角度θ２での読取データには、原稿幅の誤検出の要因となる圧板３１の映り込みがあるが、第１角度θ１での読取データには圧板３１の映り込みも外乱光Ｌの映り込みも少ない。このため、原稿Ｇが前側に配置されている場合、原稿サイズ検出部５３は、第１角度θ１での読取データと第３角度θ３での読取データを用いて原稿幅を検出する。
【００８６】
原稿サイズ検出部５３により原稿幅を検出すると、一連の動作が終了となる。
【００８７】
上述した原稿幅の検出動作に並行して、原稿サイズ検出部５３は、図示しない用紙長さセンサの検出結果に基づき、原稿の副走査方向の長さを検出する。
【００８８】
原稿幅および原稿の副走査方向の長さの検出後、操作パネル４の入力部３７に対するユーザの入力操作による読み取り開始の指示に応じて、読取制御部５１は、画像読取ユニット１３を制御して原稿画像の読み取りを実行する。
【００８９】
以上説明したように、画像読取装置１では、読取制御部５１は、圧板３１が開状態から閉じられる際に、圧板３１の傾斜角度θが第１角度θ１になった時点、第２角度θ２になった時点、第３角度θ３になった時点のそれぞれにおいて、読取動作を実行する。原稿位置判定部５２は、第１角度θ１での読取データと第３角度θ３での読取データとの比較結果、または第２角度θ２での読取データと第３角度θ３での読取データとの比較結果に基づき、主走査方向における原稿の配置基準位置を判定する。原稿サイズ検出部５３は、主走査方向における原稿の配置基準位置が原稿台１１の後側の端であると判定された場合、第２角度θ２での読取データと第３角度θ３での読取データとの比較結果に基づき原稿幅を検出する。また、原稿サイズ検出部５３は、主走査方向における原稿の配置基準位置が原稿台１１の前側の端であると判定された場合、第１角度θ１での読取データと第３角度θ３での読取データとの比較結果に基づき原稿幅を検出する。
【００９０】
このように、原稿サイズ検出部５３は、主走査方向における原稿の配置基準位置に応じて、第１〜第３角度θ１〜θ３での読取データから、原稿幅の検出に使用する読取データの組み合わせを選択している。これにより、主走査方向における原稿の配置基準位置が原稿台１１の後側の端である場合における読取データへの外乱光の映り込みによる用紙幅の誤検出を低減できる。また、主走査方向における原稿の配置基準位置が原稿台１１の前側の端である場合における読取データへの圧板３１の映り込みによる用紙幅の誤検出を低減できる。この結果、画像読取装置１によれば、原稿サイズの誤検出を低減できる。
【００９１】
（第２実施形態）
次に、上述した第１実施形態の一部を変更した第２実施形態について説明する。図１３は、第２実施形態に係る画像読取装置の特徴的な機能部を示すブロック図である。
【００９２】
図１３に示すように、第２実施形態に係る画像読取装置１Ａは、第１実施形態における原稿位置判定部５２を、原稿位置設定部６１に置き換えた構成である。
【００９３】
原稿位置設定部６１は、操作パネル４の入力部３７に対するユーザの入力操作に応じて、主走査方向における原稿の配置基準位置を、原稿台１１の前側の端または後側の端に設定する。
【００９４】
読取制御部５１は、圧板３１が開状態から閉じられる際に、圧板３１の傾斜角度θが第１角度θ１になった時点、第２角度θ２になった時点、第３角度θ３になった時点のうちの２つの時点において、読取動作を実行する。具体的には、読取制御部５１は、主走査方向における原稿の配置基準位置が原稿台１１の前側の端に設定された場合、圧板３１の傾斜角度θが第１角度θ１になった時点および第３角度θ３になった時点において読取動作を実行する。また、読取制御部５１は、主走査方向における原稿の配置基準位置が原稿台１１の後側の端に設定された場合、圧板３１の傾斜角度θが第２角度θ２になった時点および第３角度θ３になった時点において読取動作を実行する。
【００９５】
原稿サイズ検出部５３は、圧板３１が開状態から閉じられる際に読取動作を行った２つの時点における読取データの比較結果に基づき原稿幅を検出する。
【００９６】
次に、第２実施形態における原稿幅の検出動作について説明する。
【００９７】
図１４は、第２実施形態における原稿幅の検出動作を説明するためのフローチャートである。図１４のフローチャートの処理は、ユーザにより操作パネル４の入力部３７に対して、主走査方向における原稿の配置基準位置を指定するための入力操作が行われたことにより開始となる。
【００９８】
図１４のステップＳ１１において、原稿位置設定部６１は、入力部３７に対する入力操作に応じて、主走査方向における原稿の配置基準位置を、原稿台１１の前側の端または後側の端に設定する。
【００９９】
この後、ユーザの操作により圧板３１が開状態となった後、原稿台１１に原稿が載置される。ここで、ユーザが、主走査方向における原稿の配置基準位置を、入力操作により指定した通りに、原稿台１１の前側の端または後側の端として原稿を載置する。原稿台１１に原稿が載置された後、圧板３１が閉じられ始める。なお、ステップＳ１１の前に、圧板３１が開状態とされていてもよい。
【０１００】
原稿位置設定部６１により主走査方向における原稿の配置基準位置が設定されると、ステップＳ１２において、読取制御部５１は、主走査方向における原稿の配置基準位置が原稿台１１の前側の端に設定されたか否かを判断する。
【０１０１】
主走査方向における原稿の配置基準位置が原稿台１１の前側の端に設定されたと判断した場合（ステップＳ１２：ＹＥＳ）、ステップＳ１３において、読取制御部５１は、開状態から閉じられ始めた圧板３１の傾斜角度θが第１角度θ１になったか否かを判断する。圧板３１の傾斜角度θが第１角度θ１になっていないと判断した場合（ステップＳ１３：ＮＯ）、読取制御部５１は、ステップＳ１３を繰り返す。
【０１０２】
圧板３１の傾斜角度θが第１角度θ１になったと判断した場合（ステップＳ１３：ＹＥＳ）、ステップＳ１４において、読取制御部５１は、画像読取ユニット１３による読取動作を実行して読取データを取得する。ここで、読取制御部５１は、画像読取ユニット１３を待機位置から原稿サイズ検出位置へ移動させており、原稿サイズ検出位置に配置された画像読取ユニット１３による読取動作を実行する。
【０１０３】
次いで、ステップＳ１５において、読取制御部５１は、圧板３１の傾斜角度θが第３角度θ３になったか否かを判断する。圧板３１の傾斜角度θが第３角度θ３になっていないと判断した場合（ステップＳ１５：ＮＯ）、読取制御部５１は、ステップＳ１５を繰り返す。
【０１０４】
圧板３１の傾斜角度θが第３角度θ３になったと判断した場合（ステップＳ１５：ＹＥＳ）、ステップＳ１６において、読取制御部５１は、画像読取ユニット１３による読取動作を実行して読取データを取得する。
【０１０５】
次いで、ステップＳ１７において、原稿サイズ検出部５３は、第１角度θ１での読取データと第３角度θ３での読取データとの比較結果に基づき原稿幅を検出する。第１角度θ１での読取データと第３角度θ３での読取データとの比較結果に基づき原稿幅を検出する方法は、第１実施形態と同様である。原稿幅が検出されると、一連の動作が終了となる。
【０１０６】
ステップＳ１２において、主走査方向における原稿の配置基準位置が原稿台１１の後側の端に設定されたと判断した場合（ステップＳ１２：ＮＯ）、ステップＳ１８において、読取制御部５１は、開状態から閉じられ始めた圧板３１の傾斜角度θが第２角度θ２になったか否かを判断する。圧板３１の傾斜角度θが第２角度θ２になっていないと判断した場合（ステップＳ１８：ＮＯ）、読取制御部５１は、ステップＳ１８を繰り返す。
【０１０７】
圧板３１の傾斜角度θが第２角度θ２になったと判断した場合（ステップＳ１８：ＹＥＳ）、ステップＳ１９において、読取制御部５１は、画像読取ユニット１３による読取動作を実行して読取データを取得する。
【０１０８】
次いで、ステップＳ２０において、読取制御部５１は、圧板３１の傾斜角度θが第３角度θ３になったか否かを判断する。圧板３１の傾斜角度θが第３角度θ３になっていないと判断した場合（ステップＳ２０：ＮＯ）、読取制御部５１は、ステップＳ２０を繰り返す。
【０１０９】
圧板３１の傾斜角度θが第３角度θ３になったと判断した場合（ステップＳ２０：ＹＥＳ）、ステップＳ２１において、読取制御部５１は、画像読取ユニット１３による読取動作を実行して読取データを取得する。
【０１１０】
次いで、ステップＳ２２において、原稿サイズ検出部５３は、第２角度θ２での読取データと第３角度θ３での読取データとの比較結果に基づき原稿幅を検出する。第２角度θ２での読取データと第３角度θ３での読取データとの比較結果に基づき原稿幅を検出する方法は、第１実施形態と同様である。原稿幅が検出されると、一連の動作が終了となる。
【０１１１】
以上説明したように、第２実施形態では、読取制御部５１は、主走査方向における原稿の配置基準位置が原稿台１１の前側の端に設定された場合、圧板３１の傾斜角度θが第１角度θ１になった時点および第３角度θ３になった時点において読取動作を実行する。また、読取制御部５１は、主走査方向における原稿の配置基準位置が原稿台１１の後側の端に設定された場合、圧板３１の傾斜角度θが第２角度θ２になった時点および第３角度θ３になった時点において読取動作を実行する。そして、原稿サイズ検出部５３は、圧板３１が開状態から閉じられる際に読取動作を行った２つの時点における読取データの比較結果に基づき原稿幅を検出する。
【０１１２】
このように、読取制御部５１は、主走査方向における原稿の配置基準位置に応じて、第１〜第３角度θ１〜θ３から、原稿幅の検出に使用する読取データを取得する角度の組み合わせを選択している。これにより、第１実施形態と同様に、主走査方向における原稿の配置基準位置が原稿台１１の後側の端である場合における読取データへの外乱光の映り込みによる用紙幅の誤検出を低減できる。また、第１実施形態と同様に、主走査方向における原稿の配置基準位置が原稿台１１の前側の端である場合における読取データへの圧板３１の映り込みによる用紙幅の誤検出を低減できる。したがって、第２実施形態においても、原稿サイズの誤検出を低減できる。
【０１１３】
（第３実施形態）
次に、上述した第２実施形態の原稿幅の検出動作を変更した第３実施形態について説明する。
【０１１４】
第３実施形態では、原稿幅の検出を行う際に、読取制御部５１および原稿位置設定部６１により、外乱光の有無を判定する外乱光判定処理を行う。
【０１１５】
読取制御部５１は、外乱光判定処理において、圧板３１が開状態で原稿台１１に原稿が未載置のときに、ラインセンサ２２で原稿台１１側からの光を受光して読取データを取得するよう制御する。
【０１１６】
原稿位置設定部６１は、外乱光判定処理において、圧板３１が開状態で原稿台１１に原稿が未載置のときに取得された読取データに基づき外乱光の有無を判定する。
【０１１７】
また、原稿位置設定部６１は、外乱光判定処理において外乱光があると判定した場合、主走査方向における原稿の配置基準位置を原稿台１１の前側の端に設定する。また、原稿位置設定部６１は、外乱光判定処理において外乱光があると判定した場合、主走査方向における原稿の配置基準位置を原稿台１１の前側の端として原稿を原稿台１１に載置するようユーザに指示する。
【０１１８】
次に、第３実施形態における原稿幅の検出動作について説明する。
【０１１９】
図１５は、第２実施形態における原稿幅の検出動作を説明するためのフローチャートである。図１５のフローチャートの処理は、ユーザの操作により原稿台カバー３が開かれ、圧板３１が開状態となったことにより開始となる。
【０１２０】
図１５のステップＳ３１において、読取制御部５１および原稿位置設定部６１は、外乱光判定処理を行う。具体的には、読取制御部５１は、圧板３１が開状態で原稿台１１に原稿が未載置の状態において、ラインセンサ２２で原稿台１１側からの光を受光して読取データを取得するよう制御する。次いで、原稿位置設定部６１は、この取得された読取データに基づき外乱光の有無を判定する。具体的には、原稿位置設定部６１は、読取データにおいて、所定の閾値以上の輝度が検出された場合、外乱光があると判定する。
【０１２１】
次いで、ステップＳ３２において、原稿位置設定部６１は、外乱光判定処理の結果が「外乱光あり」であるか否かを判断する。
【０１２２】
外乱光判定処理の結果が「外乱光あり」であると判断した場合（ステップＳ３２：ＹＥＳ）、ステップＳ３３において、原稿位置設定部６１は、主走査方向における原稿の配置基準位置を、原稿台１１の前側の端に設定する。
【０１２３】
次いで、ステップＳ３４において、原稿位置設定部６１は、主走査方向における配置基準位置を原稿台１１の前側の端とするようユーザに指示する。具体的には、原稿位置設定部６１は、主走査方向における配置基準位置を原稿台１１の前側の端として原稿を原稿台１１に載置するよう指示する画面を操作パネル４の表示部３６に表示させる。
【０１２４】
この後、ユーザにより、主走査方向における配置基準位置を原稿台１１の前側の端として原稿が原稿台１１に載置され、それに続いて圧板３１が閉じられ始める。
【０１２５】
ステップＳ３４に続くステップＳ３５〜Ｓ３９の処理は、前述した図１４のステップＳ１３〜Ｓ１７の処理と同様である。ステップＳ３９において原稿幅が検出されると、一連の動作が終了となる。
【０１２６】
ステップＳ３２において、外乱光判定処理の結果が「外乱光なし」であると判断した場合（ステップＳ３２：ＮＯ）、ステップＳ４０において、原稿位置設定部６１は、ユーザによる入力部３７に対する入力操作に応じて、主走査方向における原稿の配置基準位置を、原稿台１１の前側の端または後側の端に設定する。
【０１２７】
この後、ユーザが、主走査方向における原稿の配置基準位置を、入力操作により指定した通りに、原稿台１１の前側の端または後側の端として原稿を載置する。原稿台１１に原稿が載置された後、圧板３１が閉じられ始める。
【０１２８】
ステップＳ４０において原稿位置設定部６１により主走査方向における原稿の配置基準位置が設定されると、ステップＳ４１において、読取制御部５１は、主走査方向における原稿の配置基準位置が原稿台１１の前側の端に設定されたか否かを判断する。
【０１２９】
主走査方向における原稿の配置基準位置が原稿台１１の前側の端に設定されたと判断した場合（ステップＳ４１：ＹＥＳ）、読取制御部５１は、ステップＳ３５へ進む。
【０１３０】
主走査方向における原稿の配置基準位置が原稿台１１の後側の端に設定されたと判断した場合（ステップＳ４１：ＮＯ）、読取制御部５１は、ステップＳ４２へ進む。ステップＳ４２〜Ｓ４６の処理は、前述した図１４のステップＳ１８〜Ｓ２２の処理と同様である。ステップＳ４６において原稿幅が検出されると、一連の動作が終了となる。
【０１３１】
以上説明したように、第３実施形態では、原稿位置設定部６１は、外乱光判定処理において外乱光があると判定した場合、主走査方向における原稿の配置基準位置を原稿台１１の前側の端に設定する。原稿が原稿台１１の前側にある方が、後側にあるよりも、原稿台１１への外乱光の入射が抑えられるため、外乱光がある場合に主走査方向における原稿の配置基準位置を原稿台１１の前側の端とすることで、外乱光の影響による用紙幅の誤検出をより低減できる。
【０１３２】
本発明は上記実施形態そのままに限定されるものではなく、実施段階ではその要旨を逸脱しない範囲で構成要素を変形して具体化できる。また、上記実施形態に開示されている複数の構成要素の適宜な組み合せにより、種々の発明を形成できる。例えば、実施形態に示される全構成要素から幾つかの構成要素を削除してもよい。さらに、異なる実施形態にわたる構成要素を適宜組み合せてもよい。
【符号の説明】
【０１３３】
１，１Ａ  画像読取装置
２  装置本体
３  原稿台カバー
４  操作パネル
１１  原稿台
１２  カバーオープンセンサ
１３  画像読取ユニット
１４  制御回路
２１  光源
２２  ラインセンサ
２６  回動軸
３１  圧板
４１  ＣＰＵ
４２  ＲＡＭ
４３  フラッシュメモリ
４４  ＦｅＲＡＭ
４５  入出力Ｉ／Ｆ
５１  読取制御部
５２  原稿位置判定部
５３  原稿サイズ検出部
６１  原稿位置設定部
【図１】
2018037728.tif 000003
【図２】
2018037728.tif 000004
【図３】
2018037728.tif 000005
【図４】
2018037728.tif 000006
【図５】
2018037728.tif 000007
【図６】
2018037728.tif 000008
【図７】
2018037728.tif 000009
【図８】
2018037728.tif 000010
【図９】
2018037728.tif 000011
【図１０】
2018037728.tif 000012
【図１１】
2018037728.tif 000013
【図１２】
2018037728.tif 000014
【図１３】
2018037728.tif 000015
【図１４】
2018037728.tif 000016
【図１５】
2018037728.tif 000017